(57)【要約】【課題】  単品の容器を組み合わせて纏まりのある容器に擬制して購買意欲を喚起する構成を提案し、展示の効果を発揮することを目的とする。【解決手段】  開口した上端部に、蓋４を被着する外周へ突出した蓋当着用鍔１２を有する円筒状容器１であって、当該鍔１２に複数の連結紐２の係止部１３を等角度で突設した一対の同一の容器１、１を、係止部１３が対向するように互いの底を合わせて重合する。重合した容器１、１を連結紐２で互いの係止部を襷掛けに結着する。更に、襷掛けした連結紐体の中央部の周囲に緊締紐３を周回して緊張させたものである。【選択図】  図１
2014201310.tif 000002
【特許請求の範囲】
【請求項１】
開口した上端部に、蓋を被着する外周へ突出した蓋当着用鍔を有する円筒状容器であって、当該鍔に複数の連結紐体の係止部を等角度で突設した一対の同一の容器を、係止部が対向するように互いの底を合わせて重合し、連結紐を互いの係止部を襷掛けに結着し、襷掛けした連結紐の中央部の周囲に緊締紐を周回して緊張させたことを特徴とする包装用容器。
【請求項２】
開口した上端部に、蓋を被着する外周へ突出した蓋当着用鍔を有する円筒状容器と、外周に複数の連結紐の係止部を等角度で、前記鍔の外周より突出して設けた化粧円板とで構成し、一対の前記容器の底を合わせて重合し、さらに、各蓋を被着した面に前記化粧円板を前記係止部が対向するように重ねて挟持し、連結紐を互いの係止部を襷掛けに結着し、襷掛けした連結紐体の中央部の周囲に緊締紐を周回して緊張させたことを特徴とする包装用容器。
【請求項３】
偶数個の係止部が設けられている場合は、二種類の連結紐を使用して襷掛けに結着することを特徴とする請求項１又は２に記載の包装用容器。
【請求項４】
底面に凹部と凸部が形成してあり、蓋当着用鍔又は化粧円板に設けた係止部と対応して、同一角度、同一円周上に交互に、凹部と凸部が互いに嵌合する凹凸形状としたことを特徴とする請求項１乃至３の何れかに記載の包装用容器。
【請求項５】
底面に凹部と凸部が形成してあり、直径方向に並行に連続し、凹部と凸部が嵌合する形状としたことを特徴とする請求項１乃至３の何れかに記載の包装用容器。
【発明の詳細な説明】
【技術分野】
【０００１】
本発明は包装用容器に関するものであり、主として食品の包装への利用に多く用いられる容器に関する。
【背景技術】
【０００２】
食品における例えば菓子の中で、水羊羹やゼリー（動物系のゼラチンや、植物系のペクチン・寒天・カラギーナンなどのゲル化剤で凝固させた形態の菓子を称する。）等は、容器に封入されて販売されているものが多く見られる。
【０００３】
そこで、この種の菓子製品は、広く大きく開口した面から垂状に周囲を狭くして頂部を形成した容器へ、当該容器の開口した面からゼリー等の原料を注入して収容し、開口した面を密着蓋やフィルムで密封する工程で製造されるのが一般的である。
そして、通常は開口した密着蓋やフィルムで密封した面を上面として、販売店舗内での展示や包装箱詰めを行なっている。
【０００４】
一方、商品の展示を良好にする目的で、実開平０３−１２０４３５号公報では、容器の上面と底面に互いに嵌合する凸部又は凹部を形成して積み重ねを安定させたものが開示されている。
【０００５】
また、特開２０００−２５８２４号公報の陳列用を兼ねた包装容器は、容器本体の底壁部と蓋体の上面の構造により、商品を収納して複数個積重ねることができること、商品を収納して陳列棚に陳列する際に、従来の包装容器のように特別の補助具を使用しないで、顧客が容器に収納された商品を容易に観察することができるように、最上段の容器の角度を顧客の通路側に向けて容易に陳列できることが開示されている。
【先行技術文献】
【特許文献】
【０００６】
【特許文献１】特開２０００−２５８２４号公報
【特許文献２】実開平０３−１２０４３５号公報
【発明の概要】
【発明が解決しようとする課題】
【０００７】
従来、商品の包装や展示は単品の商品毎に行うことを基本として工夫がされている。
そのため、容器の形態に関する意匠的な創作や搬送・展示の空間を効率的に占めるような構成を特徴としている。
【０００８】
そこで、本発明は単品の容器を組み合わせて纏まりのある容器に擬制して購買意欲を喚起する構成を提案し、展示の効果を発揮することを目的とするものである。
【課題を解決するための手段】
【０００９】
本発明に係る包装用容器の請求項１の発明は、開口した上端部に、蓋を被着する外周へ突出した蓋当着用鍔を有する円筒状容器であって、当該鍔に複数の連結紐の係止部を等角度で突設した一対の同一の容器を、係止部が対向するように互いの底を合わせて重合し、連結紐を互いの係止部を襷掛けに結着し、襷掛けした連結紐体の中央部の周囲に緊締紐を周回して緊張させたことを特徴とするものである。
【００１０】
請求項２に係る包装用容器の発明は、開口した上端部に、蓋を被着する外周へ突出した蓋当着用鍔を有する円筒状容器と、外周に複数の連結紐の係止部を等角度で、前記鍔の外周より突出して設けた化粧円板とで構成し、一対の前記容器の底を合わせて重合し、さらに、各蓋を被着した面に前記化粧円板を前記係止部が対向するように重ねて挟持し、連結紐を互いの係止部を襷掛けに結着し、襷掛けした連結紐体の中央部の周囲に緊締紐を周回して緊張させたことを特徴とするものである。
【００１１】
請求項３に係る包装用容器の発明は、請求項１又は２に記載の発明において、偶数個の係止部が設けられている場合は、二種類の連結紐を使用して襷掛けに結着することを特徴とするものである。
【００１２】
請求項４に係る包装用容器の発明は、請求項１乃至３の何れかに記載の発明において、底面に凹部と凸部が形成してあり、蓋当着用鍔又は化粧円板に設けた係止部と対応して、同一角度、同一円周上に交互に、凹部と凸部が互いに嵌合する凹凸形状としたことを特徴とするものである。
【００１３】
請求項５に係る包装用容器の発明は、請求項１乃至３の何れかに記載の発明において、底面に凹部と凸部が形成してあり、直径方向に並行に連続し、凹部と凸部が嵌合する形状としたことを特徴とするものである。
【発明の効果】
【００１４】
請求項１の発明は、一対の同一の容器を、係止部が対向するように互いの底を合わせて重合し、連結紐を互いの係止部を襷掛けに結着したため、一対の容器を一体に固定できるものであり、襷掛けした連結紐体の中央部の周囲に緊締紐を周回して緊張させたことで強固な連結となり底面同士の水平方向の横滑りやズレを防止する効果を発揮する。
【００１５】
また、一対の容器を連結紐と緊締紐で固定した形態は、鼓や桶太鼓を連想させるもので連結した構成が意匠的作用と相俟った機能美を創出する効果も合わせて発揮するものである。
【００１６】
請求項２の発明も、前記請求項１と同様の効果を発揮すると共に、蓋を被着した一対の前記容器の底を合わせて重合し、さらに、各蓋を被着した面に化粧円板を重ねて挟持するものであるから、化粧円板の全体で一対の前記容器を挟着することになり、連結固定が強固となる効果を発揮する。
【００１７】
請求項３の発明は、請求項１又は２の発明の効果に加えて、偶数個の係止部が設けられている場合は、互いの係止部を襷掛けに結着していくと２本の連結紐が必要になる。
そこで、二種類の連結紐を使用して襷掛けに結着することで、更なる意匠的効果と相俟った機能美を創出する効果を発揮するものである。
【００１８】
請求項４の発明は、請求項１乃至３の何れかの発明の効果に加えて、互いの凹部と凸部が嵌合するように底面を重合すれば、係止部も対応して配置されることになり、重合した互いの底面の凹部と凸部が嵌合することで、底面同士の水平方向の滑りやズレを完全に防止する効果を発揮するものである。
【００１９】
請求項５の発明は、請求項１乃至３の何れかの発明の効果に加えて、互いの凹部と凸部が嵌合するように底面を重合すれば、係止部も対応して配置されることになり、重合した互いの底面の凹部と凸部が嵌合することで、凹凸線に対する直角の方向への横滑りやズレを完全に防止する効果を発揮するものである。
【図面の簡単な説明】
【００２０】
【図１】本発明の一実施の形態を示す正面図である。
【図２】本発明の一実施の形態を示す図１の平面図である。
【図３】係止部の他の実施の形態を示す平面図である。
【図４】本発明の他の実施の形態を示す正面図である。
【図５】円板の実施の形態を示す平面図である。
【図６】底面の実施の形態を示す底面図である。
【図７】底面の他の実施の形態を示す正面図である。
【発明を実施するための形態】
【００２１】
本発明の実施の形態を図面に基づいて説明する。
図１は本発明の一実施の形態を示す正面図であり、図２は同平面図である。
本発明に係る包装用容器は、同一の形態を有する二個の容器１、１と連結紐２及び緊締紐３で構成されている。
【００２２】
容器１は、円筒状の容器で、広く開口した上面から垂状に周囲を狭くして水平な底面１１を形成し、開口した上端部に外周へ突出した蓋当着用鍔１２を設けたものである。
容器１には、開口した上面から例えばゼリー等の原料を注入して収容し、開口した上面を蓋であるフィルム４が蓋当着用鍔１２に当着して密封される。
【００２３】
また、蓋当着用鍔１２には、複数の連結紐２の係止部１３・・・（図１及び図２では６箇所）を等角度で突設してあり、容器１、１の互いの底面１１、１１を合わせて重合し、連結紐２を互いの係止部１３・・・に引掛けて連結紐２の両端部を結着し、二つの容器１、１を一体に固定している。
【００２４】
容器１、１の互いの底面１１、１１の重合は、互いの容器１、１の係止部１３・・・と係止部１３・・・が対向するように配置され、連結紐２は対向する係止部１３、１３に隣設する係止部１３、１３へ襷掛けに掛設してあり、更に掛設した連結紐体の中央部の周囲に緊締紐３を周回して端部同士を結着して連結紐体を緊張させ、重合した容器１、１との一体化を強固にしている。
【００２５】
係止部１３の数が偶数個であると、襷掛けとする場合には二本の連結紐２が必要であり、模様や色を違えた二種の紐２、２を使用すれば、意匠的作用が顕著と成る。
係止部１３の数が奇数個であれば、一本の連結紐２で全係止部１３を襷掛けに掛設できる。
【００２６】
また、図３（ａ）に示すように、係止部１３は突出先よりも蓋当着用鍔１２側の基部を細幅に形成し、図３（ｂ）は係止部１３の基部から溝１４を連設したもので、連結紐２の抜脱を防止すると共に、緊締紐３によって連結紐２は蓋当着用鍔１２側へ引っ張れた状態に成っている。
更に、図３（ｃ）は蓋当着用鍔１２を幅広に形成し、透孔１５を係止部１３としたものである。
【００２７】
図４は、本発明の他の実施の形態を示す正面図であり、開口した上端部に外周へ突出した蓋当着用鍔１２を有する円筒状容器１と、化粧円板５と、連結紐２及び緊締紐３で構成されている。
化粧円板５は、前記鍔１２より長径で、外周に複数の連結紐２の係止部５１、５１・・・を等角度で、重ねた前記鍔１２の外周より突出して設けられている。
【００２８】
そこで、菓子を充填して蓋（フィルム）４を被着した一対の前記容器１、１の底１１、１１を合わせて重合し、さらに、各蓋４、４に前記化粧円板５、５を前記係止部５１、５１が対向するように配置して重ねて挟持し、前記に記載した様に、連結紐２を互いの係止部５１、５１を襷掛けに結着し、襷掛けした連結紐体の中央部の周囲に緊締紐３を周回して結着して緊張させた構成と成っている。
【００２９】
したがって、一対の前記容器１、１の底１１，１１を合わせて重合し、各蓋４、４に前記化粧円板５、５を重ねて挟持したものであるから、化粧円板５、５の全体で一対の前記容器１，１を挟着することになり、連結紐２を互いの係止部５１、５１に襷掛けに結着し、襷掛けした連結紐体の中央部の周囲に緊締紐３を周回して緊張させたことで連結が強固となる作用を奏する。
【００３０】
図５の各図は、円板５に形成される係止部５１の実施の形態例を示す平面図である。
図５（ａ）は外周から突出して係止部５１を形成したもの、図５（ｂ）は外周から両側を切り欠いて外周に沿って係止部５１を形成したもの、図５（ｃ）は切抜孔により外周近傍の内部に係止部５１を形成したものであり、係止部５１の具体的形状は先端部が膨らんで連結紐２が容易に抜けないようなものが好ましい。
【００３１】
図５の各係止部５１の実施態様は、前記蓋当着用鍔１２に形成する係止部１３にも転用できるものであり、反対に図３各図の係止部１３の実施態様も係止部５１に形成することもできる。
【００３２】
図６は容器１の底面の一実施の形態を示し、底面１１に凹部６と凸部７を、蓋当着用鍔１２又は化粧円板５に設けた係止部１３又は５１と対応して、同一角度で交互に、互いの凹部６と凸部７が嵌合する凹凸形状を設けてある。
【００３３】
したがって、互いの凹部６と凸部７が嵌合するように底面１１、１１同士を重合すれば、係止部１３又は５１も対応して配置されることになり、重合した互いの底面１１の凹部６と凸部７とが嵌合することで、重合した底面同士の水平方向の滑りやズレを完全に防止する作用を奏するものである。
【００３４】
底面１１に形成する凹部６と凸部７は、蓋当着用鍔１２又は化粧円板５に設けた係止部１３又は５１と対応して、同一角度、同一円周上に交互に、互いの凹部６と凸部７が嵌合するものであるため、凹部６と凸部７の形成する合計個数は偶数となり、対応する係止部１３又は５１も同一の偶数個と互いに制約される。
【００３５】
図６では、係止部１３又は５１が六ヶ所に形成された実施の形態例を示す底面の端面図である。
図６（ａ）は、底面１１の周囲に沿って略長円形の凹部６と凸部７を交互に等間隔で配置したものであり、当該凹部６及び凸部７とに対応して係止部１３が形成され、化粧円板５の係止部５１を対応させて挟持することとなる。
図６（ｂ）は、放射線状に略扇形の凹部６と凸部７を交互に等間隔で配置したものである。
【００３６】
図７は容器１の底面の他の実施の形態を示し、底面１１の直径方向に並行に連続した同一波形で、凹部６と凸部７を形成したものであり、同一幅の波形であって、凹部６と凸部７が嵌合する形状としたものである。
【００３７】
したがって、１８０度互いに回転して底面１１、１１同士を重合すれば、互いの底面の凹部６と凸部７が嵌合することで、凹凸方向線に対する直角の方向への滑りやズレを完全に防止することができる。
波形は段部形状の凹凸部であっても良い。
【００３８】
以上、本発明を実施の形態を図面に基づき具体的に説明したが、例えば、包装対商品象や包装容器の材質或るいは具体的形状について、上記の実施形態に限定されるものではなく、発明の思想を逸脱することない範囲の他の実施の形態にも適用可能である。
【符号の説明】
【００３９】
１          容器
２          連結紐
３          緊締紐
４          フィルム（蓋）
５          化粧円板
６          凹部
７          凸部
１１        底面
１２        蓋当着用鍔
１３、５１  係止部
１４        溝
１５        透孔
【図１】
2014201310.tif 000003
【図２】
2014201310.tif 000004
【図３】
2014201310.tif 000005
【図４】
2014201310.tif 000006
【図５】
2014201310.tif 000007
【図６】
2014201310.tif 000008
【図７】
2014201310.tif 000009